(57)【要約】【課題】ガラス製の外板における表示部の意匠性を向上させた冷蔵庫を提供する。【解決手段】断熱扉の正面側に設けられたガラス製の外板と、前記外板の周縁に設けられた扉枠と、前記外板と前記扉枠とで形成された空間に充填された発泡断熱材と、前記外板の背面側にあって光源が設けられた基板支持体と、を備えた冷蔵庫において、前記扉枠には、前記基板支持体が挿入される挿入部が形成され、前記外板の背面側には、透光部を有する塗装面が形成され、前記透光部の背面側投影内に前記光源が位置し、前記外板は、前記基板支持体を前記挿入部に挿入した状態で、前記基板支持体を前記扉枠に対して、前後方向、上下方向および左右方向に位置決めした。【選択図】図８
2019138529.tif 000002
【特許請求の範囲】
【請求項１】
断熱扉の正面側に設けられたガラス製の外板と、
前記外板の周縁に設けられた扉枠と、
前記外板と前記扉枠とで形成された空間に充填された発泡断熱材と、
前記外板の背面側にあって光源が設けられた基板支持体と、
を備えた冷蔵庫において、
前記扉枠には、前記基板支持体が挿入される挿入部が形成され、
前記外板の背面側には、透光部を有する塗装面が形成され、
前記透光部の背面側投影内に前記光源が位置し、
前記基板支持体を前記挿入部に挿入した状態で、前記基板支持体が前記扉枠に対して、前後方向、上下方向および左右方向に位置決めされていることを特徴とする冷蔵庫。
【請求項２】
請求項１において、
前記基板支持体には、光源に対応して複数の開口部が形成されており、
前記挿入部には、前記開口部に対応して複数の窓部が形成されており、
隣接する前記開口部の間の縁部に設けられた第一位置決め部と、隣接する前記窓部の間の縁部に設けられた第二位置決め部とが、係合することにより、前後方向の位置決めがされることを特徴とする冷蔵庫。
【請求項３】
請求項１において、
前記断熱扉の背面側には、上下に複数のドアポケットが並べて設けられており、
前記ドアポケットが設けられる位置を避けて、前記収納部が位置することを特徴とする冷蔵庫。
【発明の詳細な説明】
【技術分野】
【０００１】
本発明は、扉の表面に外板を備えた冷蔵庫に関する。
【背景技術】
【０００２】
設定等を表示する表示部として、扉の側面または底面の開口より基板支持体を挿入し、扉の表面を構成するガラス板を通して認識できるようにした冷蔵庫が提案されている。例えば、特許文献１には、「基板支持体３１は、図７、図８に示す様に基板取付部３８，３９と蓋板部４０とが一体成型してあり、基板支持体挿入凹部３７への挿入取り付けによってその基板取付部３８，３９がガラス板２５の下端部に設けてある操作及び表示イラスト３２ａに向き合うとともに、蓋板部４０が基板支持板挿入凹部３７の開口を閉塞している」ことが記載されている（段落００３８）。また、同文献には、「基板支持体３１にはその一方の基板取付部３９の上端部と蓋板部４０の左右両端部にそれぞれ前後方向の位置決めを行う位置決め部４３が一体形成してあり、基板支持体挿入凹部３７内に設けた凹部（図示せず）にそれぞれ嵌り込んで前後方向の位置が規制されている」ことも記載されている（段落００４０）。
【先行技術文献】
【特許文献】
【０００３】
【特許文献１】特開２０１５−４８９８５号公報
【発明の概要】
【発明が解決しようとする課題】
【０００４】
しかし、上記特許文献１における基板支持体およびガラス板は、横枠に対する左右方向の位置決めがされていないので、基板支持体に設置される各光源のガラス板に対する相対位置が、基板支持体およびガラス板の左右方向の移動に伴って変化してしまう可能性がある。ガラスの透光部の外に光源部が位置ずれしてしまうと、表示が欠けて見えたり、光っていないはずの表示に光がにじんでしまう場合がある。これを防ぐためには、位置ずれを考慮して、光源に対してガラスの透光部を大きめに設定する必要がある。このため、上記特許文献１では、各光源に対応してガラス板に設けられる各表示イラストは、透光部を大きめに設定する必要があるため、それぞれを互いに離れた位置としなければならず、表示部のデザインに制約を受けるという問題があった。
【０００５】
そこで、本発明の目的は、ガラス製の外板における表示部の意匠性を向上させた冷蔵庫を提供することにある。
【課題を解決するための手段】
【０００６】
本発明は、断熱扉の正面側に設けられたガラス製の外板と、前記外板の周縁に設けられた扉枠と、前記外板と前記扉枠とで形成された空間に充填された発泡断熱材と、前記外板の背面側にあって光源が設けられた基板支持体と、を備えた冷蔵庫において、前記扉枠には、前記基板支持体が挿入される挿入部が形成され、前記外板の背面側には、透光部を有する塗装面が形成され、前記透光部の背面側投影内に前記光源が位置し、前記外板は、前記基板支持体を前記挿入部に挿入した状態で、前記基板支持体を前記扉枠に対して、前後方向、上下方向および左右方向に位置決めした。
【発明の効果】
【０００７】
本発明によれば、ガラス製の外板における表示部の意匠性を向上させた冷蔵庫を提供できる。
【図面の簡単な説明】
【０００８】
【図１】本発明の実施形態に係る冷蔵庫の斜視図である。
【図２】図１の扉に配置する基板とその配置部の説明図である。
【図３】基板組品の斜視図である。
【図４】（ａ）は基板支持体の斜視図であり、（ｂ）は基板の正面図である。
【図５】扉に基板組品と蓋を組み込んだ状態の部分断面図である。
【図６】冷蔵室扉のうちドアポケット等を省略した背面図である。
【図７】扉枠の正面図である。
【図８】図７のＡ−Ａ断面図である。
【図９】図７の扉枠のうち挿入部付近を拡大した正面図である。
【発明を実施するための形態】
【０００９】
以下、本発明の実施形態について図面を用いて詳細に説明するが、本発明は以下の実施形態に限定されることなく、本発明の技術的な概念の中で種々の変形例や応用例をもその範囲に含むものである。
【００１０】
まず、冷蔵庫の全体的な構成について図１を用いて説明する。図１は本発明の実施形態に係る冷蔵庫の斜視図である。冷蔵庫本体１には、冷蔵室２、製氷室３、上段冷凍室４、冷凍室５及び野菜室６が設けられて、各貯蔵室の前面開口部を開閉する扉がそれぞれ設けられている。冷蔵室扉２ａ、２ｂはそれぞれ冷蔵室２の前面開口部を閉じる左右に併設された扉、上段冷凍室扉４ａは上段冷凍室４の前面開口部を閉じる扉、製氷室扉３ａは製氷室３の前面開口部を閉じる扉、冷凍室扉５ａは冷凍室５の前面開口部を閉じる扉、野菜室扉６ａは野菜室６の前面開口部を閉じる扉である。
【００１１】
本実施形態の冷蔵庫においては、扉前面板（扉前面部材）として、光透過性のガラス板７を各扉の外表面に設けている（図２参照）。また、冷蔵室扉２ｂの背面側には後述する基板組品２１が配置され、表示部５０を構成している。また、図５に示すように、発泡断熱材（断熱材）９は、ガラス板７を一例とする扉前面板（扉前面部材）７と扉背面部材１０との間に充填発泡される。扉前面板７であるガラス板７の板厚は、本実施形態では２ｍｍから３.５ｍｍである。この板厚は、冷蔵庫組み立て時、冷蔵庫移送時、及び冷蔵庫使用時等に生じる衝撃によってガラス板７が割れたり、亀裂が生じたりしない寸法である。
【００１２】
また、さらに強度を確保する場合や板厚を薄くする場合等には、ガラス板７に熱強化処理や化学強化処理等を施してもよい。なお、ガラス板７は絶縁体である。
【００１３】
また、冷蔵室扉２ａ及び冷蔵室扉２ｂは、夫々冷蔵庫本体１の上部に設けられた上ヒンジ等（図示せず）によって、それぞれ回動自在に軸支されている。すなわち、観音開き式に構成された、いわゆるフレンチドアを構成している。
【００１４】
図２は、図１の扉に配置する基板とその配置部の説明図である。図３は、基板組品の斜視図、図４（ａ）は基板支持体の斜視図であり、図４（ｂ）は基板の正面図である。
【００１５】
冷蔵室扉２ｂの扉背面部材１０と扉前面部材７を連結する扉枠１２には、図２に示すように、基板組品２１を挿入するガイド入口５１が形成されている。ガイド入口５１は、図２ではヒンジで軸支された側と反対側の枠１２に形成されている。これにより、冷蔵室扉２ａ，２ｂが閉じた際は、外部からガイド入口５１の位置が視認されないようになるので、意匠性が向上する。
【００１６】
図３に示すように、基板組品２１は、基板２３を基板支持体２４の背面側に配置して組み立てられる。図４（ｂ）に示す基板２３には、図示しない光源が設けられており、後述するフィルム２２およびガラス板７を介して、外側からユーザが視認できるようになっている。
【００１７】
また、図７および図９に示すように、扉枠１２の下部には、基板組品２１を挿入するための挿入部４１と、この挿入部４１の正面側に形成された凹部４１ｄと、を有している。扉枠１２と挿入部４１とは、一体の部品として成型されている。そして、扉枠１２に設けたガイド入口５１から、基板組品２１が断熱材９とガラス板７の間に挿入され、蓋３１によってガイド入口５１が閉じられる。なお、凹部４１ｄには、フィルム２２が貼り付けられる。ガラス板７とフィルム２２は光源周辺に透光部を設けており、これら透光部は光源の前方投影上に配置される。本実施形態では、ガラス板７には四角の抜き穴状の透光部が、フィルム２２には文字型の透光部が設けられている。これにより、文字や記号が点灯するのをユーザが視認できる。
【００１８】
次に、扉枠１２に対する基板支持体２４（基板組品２１）の上下方向の位置決めについて説明する。
【００１９】
まず、基板支持体２４には、図４（ａ）のように、基板２３上の複数の光源に対応して複数の開口部が形成されている。そして、基板支持体２４の正面側のうち、開口部と開口部の間の縁部の少なくとも１か所に、位置決め凸部２４ａ（第一位置決め部）が形成されている。
【００２０】
一方、扉枠１２の挿入部４１にも、基板支持体２４の複数の開口部に対応して、複数の窓部が形成されている。この窓部と窓部の間の縁部の背面側には、位置決め凹部４１ｃ（第二位置決め部）が形成されており、基板支持体２４の位置決め凸部２４ａと係合することで、上下方向の位置決めが図られている。なお、この位置決め凹部４１ｃは、全体として背面側へ延びており、基板支持体２４の各開口部から光が漏れるのを防ぐ役割も果たしている。
【００２１】
次に扉枠１２に対する基板支持体２４の左右方向の位置決めについて説明する。
基板組品２１を挿入部４１内に押し込んでいくと、基板組品２１の凸部２４ｃが挿入部４１内壁面４１ｈに突き当たることで基板組品２１の挿入が係止される。基板組品２１が係止されるまで挿入されると、基板組品２１の凸部２４ｄおよび凸部２４ｅがそれぞれ挿入部４１の切り欠き４１ｆおよび穴４１ｇに係合する。これにより一度挿入した基板組品２１が取り出し方向に位置がずれないようにしている。
【００２２】
さらに、扉枠１２に対する基板支持体２４の前後方向の位置決めについて説明する。基板支持体２４のうち、蓋３１に近い側の端部には、位置決め部材２４ｂが設けられている。したがって、基板組品２１を挿入部４１内に押し込むに従い、基板組品２１をガラス板７側すなわち正面側へ押し付ける働きをしている。すなわち、位置決め部材２４ｂは、扉枠１２に対する基板支持体２４の前後方向の位置決めを行っている。また、基板支持体２４を挿入部４１に挿入させていき、位置決め部材２４ｂが最終的に前面側へ押し付けることで、位置決め凸部２４ａが位置決め凹部４１ｃと係合するようになっている。
【００２３】
なお、基板組品２１を挿入部４１に組み込んだ後に、蓋３１を取り付けることで、基板組品２１の上下方向、左右方向および前後方向が更に位置規制される。
【００２４】
また、ガラス板７に対する扉枠１２の位置決めについて説明する。図７に示すように、扉枠１２には、ガラス板７の前後方向の位置を規制するガラス接地面１２ｃが設けられている。さらに、ガラス扉枠１２には、ガラス板７の位置を規制するため凸部１２bが設けられており、冷蔵室扉２ａ右下において凸部１２bはガラス板７の上下左右方向の位置を規制するようＬ字状に形成されている。これにより、ガラス板７の端面を凸部１２ｂに合わせながら、両面テープなどを用いてガラス板７をガラス接地面１２ｃに張り付けることで、ガラス板７と扉枠１２の位置を上下方向、左右方向および前後方向で規制できる。なお、ガラス接地面１２ｃには凸部１２ｄが設けられているので、両面テープの代わりに接着剤を用いてガラス板７を張り付けた場合でも、扉枠１２とガラス板７の前後方向の位置は規制される。
【００２５】
また、図９に示すように、挿入部４１のガラス板７側（正面側）の面には、フィルム２２を張り付けるための凹部４１ｄが形成されており、凹部４１ｄの周囲の壁面とフィルム２２の周囲の側面により、挿入部４１とフィルム２２の位置関係が決まる。また、凹部４１ｄには円柱凸部４１ｅが設けられており、フィルム２２には円柱凸部４１ｅが挿入される抜き穴が設けられている。このような円柱凸部４１ｅと抜き穴により、フィルム２２の位置決めに加え、フィルム２２の裏表の誤組が防止できる。
【００２６】
このように、前後方向、左右方向および上下方向について、基板組品２１と扉枠１２の位置およびガラス板７と扉枠１２の位置をそれぞれ決めることで、各光源のガラス板７に対する上下方向および左右方向の相対位置のずれを防止できる。このため、ガラス板７やフィルム２２に形成する透光部を大きくしなくても、光源部が透光部の外にはみ出すことがなく、文字光が欠けて見えたり、光っていないはずの文字に光が滲み出すのを防ぐことが可能となる。したがって、文字どうしを互いに離れた位置にする必要がなくなり、表示部のデザインに制約を受け難くなる。
【００２７】
また、冷蔵庫は製造、出荷、販売、据え付けの過程において、外力によって振動が加わることがある。その際に、文字型の透光部を設けたフィルム２２がガラス板７から離れてしまうと、ガラス板７の塗装により文字光が拡散し、滲んで見える場合がある。しかし、本実施形態では、図５に示すように、挿入部４１の背面側に補強部４１ａを設けているので、挿入部４１がガラス板７から離れる向きへの反りや発泡変形が抑制され、フィルム２２がガラス板７から所定距離以上離れないようになっている。また、挿入部４１の前面側には、テープ貼代４１ｂを設けてテープを貼り付けており、これによってガラス板７と挿入部４１とを密着させている。このテープは、ガラス板７と挿入部４１との間に発泡断熱材９が侵入するのを防止する役割も果たす。
【００２８】
次に、基板２３を冷蔵庫本体の天面にある制御基板と接続するための配線について説明する。図８に示すように、挿入部４１の上端には、基板２３と接続するためのコードを通すための穴４１ｆが設けられている。この穴４１ｆは、基板組品２１の挿入方向の水平投影よりも高い位置にある。また、穴４１ｆから発泡断熱材９が挿入部４１に侵入することを防ぐためのシール材がコードに取り付けられている。このため、コードを穴４１ｆに挿入した後に、基板組品２１を挿入部４１に挿入すると、シール材およびコードは基板組品２１よりも高い位置に配置される。これによりシール材が基板組品２１と挿入部４１との間に挟まり、基板組品２１が半挿入になることを防止できる。
【００２９】
以下、本実施形態の冷蔵室扉２ｂの断熱性能について説明する。図５に示すように、冷蔵室扉２ｂの内側の左右両端近傍は、冷蔵室２側に突出部９ａを有しているため、この部分における扉前面板７と扉背面部材１０との間の発泡断熱材９の厚さ寸法が、他の部分９ｂに比べて断熱厚さが大きい。しかし、冷蔵室扉２ｂの内側には、上下に複数のドアポケットが並べて設けられており、このドアポケットを収納するために、他の部分９ｂのドアポケットの前方投影上には凹みが形成され、この部分の断熱性能が低くなる。
【００３０】
ここで、冷蔵室扉２ｂのうち、挿入部４１が設けられる部分については、その空間の分だけ断熱材９が少なくなるため、断熱性能が低下することになる。したがって、この挿入部４１を設ける位置としては、上述した他の部分９ｂの凹みのある高さを避けるのが望ましい。これにより、挿入部４１内部が冷蔵室２内の冷気の影響により冷やされたとしても、その部分の断熱材９の厚さは保たれているので、熱漏洩量を低くできるため、ガラス板正面での結露の発生も抑制できる。
【００３１】
また、扉枠１２の上部には、図７に示すように、冷蔵室扉２ｂの断熱材発泡時に回転仕切体内からのコードを支持するための仕切体固定部１２ａが設けられている。なお、回転仕切体とは、冷蔵室扉２ｂに設けられて、冷蔵室扉２ａと冷蔵室扉２ｂとの隙間を塞ぐものである。そして、回転仕切体の内部には、ヒータ等が配置されており、このヒータ等と制御基板とを接続するためにコードが取り付けられている。
【００３２】
本実施形態では、上述の基板の挿入部４１と、この仕切体固定部１２ａとを、同じ冷蔵室扉２ｂ内であって、同じ右側（回転仕切体側）の上下に配置したことも特徴である。このような配置とすることで、冷蔵室扉２ｂ内に真空断熱材を最大限広く設けることが可能となっている。仮に、扉枠１２の右側上部に仕切体固定部１２ａを設け、扉枠１２の左側下部に挿入部４１を設けた場合、右側については仕切体固定部１２ａを避けて真空断熱材を配置しならない一方、左側についても挿入部４１を避けて真空断熱材を配置しなければならず、結果として、真空断熱材の拡大が制限される。
【００３３】
なお、本実施形態では、光源を搭載した基板組品２１を、挿入部４１に配置しているが、この基板組品２１に無線通信装置を搭載しても良い。
【符号の説明】
【００３４】
２ｂ  冷蔵室扉
７  ガラス板
９  発泡断熱材
９ａ  突出部
１０  扉背面部材
１２  扉枠
１２ａ  仕切体固定部
２１  基板組品
２２  フィルム
２３  基板
２４  基板支持体
２４ａ  位置決め凸部
２４ｂ  位置決め部材
３１  蓋
４１  挿入部
４１ｃ  位置決め凹部
４１ｄ  凹部
４１ｅ  円柱凸部
５０  表示部
５１  ガイド入口
【図１】
2019138529.tif 000003
【図２】
2019138529.tif 000004
【図３】
2019138529.tif 000005
【図４】
2019138529.tif 000006
【図５】
2019138529.tif 000007
【図６】
2019138529.tif 000008
【図７】
2019138529.tif 000009
【図８】
2019138529.tif 000010
【図９】
2019138529.tif 000011